(57)【特許請求の範囲】
【請求項１】
盤状の結束機本体に門形クリップの送り装置とクリップのかしめ装置とを備え、送り装置とかしめ装置との間に結束機本体の一側に開口する案内路を形成し、該案内路に沿って挿入した袋の首部を案内路の端部で収束した後、上記送り装置からクリップを送って上記首部の周囲に巻き付け、上記クリップをかしめ装置でかしめて結束する袋結束機において、上記案内路の開口部の一側には、袋の首部を案内路の端部側に押し込んで収束する押し込み部材を設け、上記開口部の他側には、一端側が上記案内路を横断するように張り出し、他端側が上記案内路から退避するように配置された袋ガイドを水平方向に回動自在に設け、上記袋を上記案内路の開口部側から挿入したときに上記袋ガイドの上記一端側に上記袋を係合した状態で袋ガイドが回動して上記他端側が上記案内路の上記開口部他側の延長上に移動するようにしたことを特徴とする袋結束機における袋の収束機構。
【発明の詳細な説明】
【０００１】
【発明の属する技術分野】
本発明は、袋結束機で商品の収納袋などの袋の首部を結束する際に収納袋の首部を収束を効果的に行なう袋結束機における袋の収束機構に関する。
【０００２】
【従来技術】
商品を入れたポリエチレン等の収納袋の口を閉じるのに、収納袋の首部をプラスチック製のクリップで結束する袋結束機が使用されている。これは、特開平１０ー１６７２３３号公報に示されるように、収納袋の首部が案内路の端部に導入されたときに、送り装置が作動して収納袋の首部を門形のクリップの脚片で挟むことができるように送り込むとともに、上記脚片を上下に重ね、さらに送り込まれたクリップの脚片の先端を結束部（かしめ部）のかしめ装置でかしめて結束するようにしたものである。
【０００３】
なお、送り装置の詳細は特開平１０ー２０３５０９号公報の図５、図６等に、またかしめ装置は特開平１０ー１６７２３２号公報や特願平１１−６７４５２号に示されている。
【０００４】
ところで、上記結束作業においてクリップの脚片間に袋の首部を挟むためには、案内路内に収納袋の首部を挿入し、首部を収束していなければならない。そのため、図１０(a) (b) に示されるように、案内路２０の開口部の一側に袋収束用の押込み部材２１を回動可能に配置し、クリップの送り装置と連動して作動するようにしたものが知られている。これによれば、案内路２０に袋５を挿入した後、クリップの送り装置が作動すると、同時に押込み部材２１が回動し、袋の後部を案内路２０内に押込んで案内路２０の端部で収束するように作動する。したがって、クリップは確実に首部５ａを挟むように送られるから、結束は良好に行なわれる。
【０００５】
【発明が解決しようとする課題】
ところで、上記袋の首部５ａを結束する際、作業員が袋の首部５ａを手際よく案内路に挿入すればよいが、必ずしもそうとは限らない。もしも、首部５ａの一部の挿入が遅れると、それと関係なく押込み部材２１は自動的に回動するから、同図のように、押込み部材２１の先端はむしろ袋の首部５ａを案内路２０の外側に押し出すように作用してしまう。したがって、首部５ａは逆に収束されないことになり、結束不良となってしまう。
【０００６】
このため、作業員の熟練度に関係なく袋を案内路２０内に入れるためには案内路２０を長くすることが考えられる。首部５ａが案内路２０内に入っていれば押込み部材により確実に収束されるからである。袋の首部は案内路２０が長ければ長いほど収束効果は高いのである。したがって、案内路２０は長い方が好ましい。しかし、案内路２０を長くすると、結束機本体２２の幅も広くしなければならず、大型になってしまうという問題がある。このため、案内路２０を長くするには限界がある。
【０００７】
本発明は上記問題点を解消し、大型化することなしに袋の首部を案内路に確実に取り込んで収束することができる袋結束機における袋の収束機構を提供することをその課題とする。
【０００８】
【課題を解決するための手段】
前記課題を解決するため、本発明に係る袋結束機における袋の収束機構は、盤状の結束機本体に門形クリップの送り装置とクリップのかしめ装置とを備え、送り装置とかしめ装置との間に結束機本体の一側に開口する案内路を形成し、該案内路に沿って挿入した袋の首部を案内路の端部で収束した後、上記送り装置からクリップを送って上記首部の周囲に巻き付け、上記クリップをかしめ装置でかしめて結束する袋結束機において、上記案内路の開口部の一側には、袋の首部を案内路の端部側に押し込んで収束する押し込み部材を設け、上記開口部の他側には、一端側が上記案内路を横断するように張り出し、他端側が上記案内路から退避するように配置された袋ガイドを水平方向に回動自在に設け、上記袋を上記案内路の開口部側から挿入したときに上記袋ガイドの上記一端側に上記袋を係合した状態で袋ガイドが回動して上記他端側が上記案内路の上記開口部他側の延長上に移動するようにしたことを特徴とする。
【０００９】
【発明の実施の形態】
図１は本発明に係る袋結束機の概要を示す平面図である。この結束機は従来のものと同じ構成の盤状の結束機本体１に門形クリップの送り装置２とクリップのかしめ装置３とを備え、送り装置２とかしめ装置３との間に結束機本体１の一側に開口する案内路４を形成し、該案内路４に沿って挿入した袋５の首部５を案内路４の端部で収束した後、上記送り装置２からクリップを送って上記首部５の周囲に巻き付け、上記クリップをかしめ装置３でかしめて結束し、図９に示されるようにクリップａで商品の収納袋５の首部５ａを結束するものである。なお、クリップａは図８に示されるように、プラスチックシートにより門形に形成され、両側に脚片６を有し、脚片６には係合穴７が形成されている。全体としてテープ状に連結され、ロール状に巻装されている。
【００１０】
送り装置２は上記クリップａテープの先頭のクリップａの脚片６の係合穴７に係合ピン（図示せず）を係合させてクリップａ１枚分だけかしめ装置３に送った後に、両側の係合ピンを寄せて先頭のクリップａの脚片６を交差させるものである。かしめ装置３は、交差した脚片６の一方から他方にかしめピン（図示せず）を押し込んで上下の脚片６を強くかしめて一体に結合させて首部５ａを結束させるものである。
【００１１】
なお、送り装置２は特開平１０ー２０３５０９号公報等に、かしめ装置３は特開平１０ー１６７２３２号公報や特願平１１−６７４５２号に示されているので、ここでは詳しい説明を省略する。また、送り装置２とかしめ装置３は操作ハンドルの回動操作に連動するように構成されている。
【００１２】
次に、案内路４の開口部４ａの一側には回動軸８が設けられ、この回動軸８には押込み部材９が水平方向に回動自在に設けられている。この押込み部材９はコ字形の板金から形成され（図２参照）、上板１０と下板１１は平面視Ｌ字形に屈曲し、屈曲部の先端縁は押込み部材９の回動時に案内路４の上下を開口部４ａから奥の端部側に移動して案内路４の大きさ（上下の開口面積）を縮小するように移動する。また、板幅は、下板１１の方が上板１０よりもやや長い。これは案内路４内の袋の首部５ａを確実に押込むためである。先端縁の突出長さも、下板１１の方が上板１０よりも長い。これは袋の首部５ａは下側が広がっているので、下板１１で先に下側部分を押込む必要があるからである。したがって、主に下板１１の方で首部５ａを押込むのである。そして、下板１１には、先端縁１２の、回動軸８から遠い外側が突出するように突部１３が形成されている。
【００１３】
なお、押込み部材９は、クリップａの送り装置２と連動するように構成され、送り装置２の作動と同時に上記先端縁１２が案内路４から遠い位置から案内路４の奥の端部に向かって案内路４を上下から挟むように回動する。
【００１４】
上記構成によれば、案内路４に商品等を収納した袋を挿入した後、袋結束機を作動させると、クリップａの送り装置２が作動し、同時に押込み部材９が回動してその先端縁１２で袋の首部５ａを案内路４内に押込み、案内路４の端部で収束させる。
【００１５】
ところで、袋の首部５ａを案内路４に挿入するときに、なんらかの理由で首部５ａの一部の挿入が遅れたときは、図１の実線で示すように、押込み部材９の先端縁１２の突部１３が袋の首部５ａの案内路４から遠い部分に係合して案内路４の開口部４ａの内側に案内するように回動するので、上記首部５ａの一部は案内路４の外側に逃げることがなく、押込み部材９により確実に収束される。
【００１６】
したがって、上記収束機構によれば、案内路４を長くしなくとも袋の首部５ａを案内路４に確実に取り込んで収束することができる。
【００１７】
なお、袋首部５ａを収束した後、かしめ装置３が作動してクリップａによる結束が終了すると、送り装置２が復帰移動するので、押込み部材９も元の初期位置に戻り回動する。
【００１８】
次に、図３は上述したものと基本的構成が同じ袋結束機で、案内路４の開口部４ａの一側には、袋の首部５ａを案内路４の端部側に押し込んで収束する押込み部材９を設け、上記開口部４ａの他側には、袋ガイド１５を水平方向に回動自在に設けたものである。
【００１９】
押込み部材９は図示したように従来のものと同じ構成のものでもよいが、図１に示したものと同じ構成の押込み部材９でもよい。
【００２０】
袋ガイド１５は結束機本体１に設けられた支軸１６に中間を水平方向に回動自在に軸着し、上記袋ガイド１５は図３及び図４に示されるように直状に形成され、一方の側１５ａは細長の板状に、他方の側１５ｂはコ字形に折り曲げ形成された板金から成り、ほぼ中間部が上記支軸１６に軸着されている。また、袋ガイド１５は上記案内路４に対して直交する位置と案内路４と平行になる位置との間で水平方向に回動可能に設けられている。そして、上記袋ガイド１５の上記他端と支軸１６近傍との間には引っ張りバネ１７が取付けられ、この引っ張りバネ１７により袋ガイド１５は常時上記案内路４に対して直交する位置にあるように付勢されている。
【００２１】
袋ガイド１５が案内路４に対して直交する位置にあるときは、袋ガイド１５の板状の一端側が上記案内路４を横断するように張り出し、コ字形の他端側が上記案内路４から退避する状態となる。そして、袋ガイド１５が上記案内路４と平行になる位置では、図５及び図６に示されるように、板状の一端側部分１５ａが案内路４の（袋ガイド１５取付側の）側縁４ａと重なり、コ字形の他端側部分１５ｂが案内路４の側縁４ａの延長上に延びる状態となる。
【００２２】
なお、袋ガイド１５は図７に示されるように、押込み部材９の上板１０と下板１１との間に挟まれる程度の大きさとし、互いに干渉しないようにする。
【００２３】
上記構成によれば、図３に示すように、袋を案内路４の開口部４ａから内部に挿入しようとすると、首部５ａが袋ガイド１５の一端側に係合するので、これをさらに押込んで内部に入れると、押込まれた袋ガイド１５は引っ張りバネ１７のバネ力に抗して回動するので、図５及び図６に示すように、コ字形の他端側部分１５ｂが案内路４の側縁４ａの延長上に延びる状態となる。この状態では、案内路４の上記側縁が延長したのと同じことになるから、袋の首部５ａで案内路４からはみ出した部分があれば、この部分は袋ガイド１５の他端側１５ｂにより案内路４側に案内される。そして、袋結束機が作動すると、前述と同様にクリップａの送り装置２が作動し、同時に押込み部材９が回動してその先端縁１２で袋の首部５ａを案内路４内に押込むから、上記首部５ａは確実に案内路４の端部で収束させる。したがって、上記収束機構によれば、大型化することなしに袋の首部５ａを案内路４に確実に取り込んで収束することができる。
【００２４】
なお、袋首部５ａを収束した後、かしめ装置３が作動してクリップａによる結束が終了して案内路４から袋が排出されると、引っ張りバネ１７により袋ガイド１５は初期に復帰回動して次の結束作業が準備される。押込み部材９も同様に初期位置に戻る。
【図面の簡単な説明】
【図１】  本発明に係る袋結束機における袋の収束機構の平面図
【図２】  押込み部材の側面図
【図３】  袋結束機における袋の収束機構の他の例の平面図
【図４】  袋ガイドを含む上記収束機構の要部の斜視図
【図５】  上記収束機構の作動時の平面図
【図６】  上記収束機構の作動時の斜視図
【図７】  上記収束機構における袋ガイドと押込み部材の位置関係説明図
【図８】  クリップの連結状態を示す斜視図
【図９】  結束された状態の袋の斜視図
【図１０】  (a) (b) はそれぞれ従来の袋の収束機構の平面図及び側面図
【符号の説明】
ａ  クリップ
１  結束機本体
４  案内路
５ａ  首部
８  回動軸
９  押込み部材
１３  突部
１５  袋ガイド
【図１】
0004656268.tif 000002
【図２】
0004656268.tif 000003
【図３】
0004656268.tif 000004
【図４】
0004656268.tif 000005
【図５】
0004656268.tif 000006
【図６】
0004656268.tif 000007
【図７】
0004656268.tif 000008
【図８】
0004656268.tif 000009
【図９】
0004656268.tif 000010
【図１０】
0004656268.tif 000011